(57)【要約】      （修正有）【課題】興趣性や装飾性を付与して、食欲を喚起したり増進することができる食事用ピックを提供する。【解決手段】把持部２と突き刺し部３からなる食事用ピックであって、前記把持部２は口を開けた動物を模した形状からなり、前記突き刺し部３は前記開けた口から突設されていることを特徴とする食事用ピック１である。食事用ピックを食物に突き刺すことにより、あたかも動物が噛みついているように見え、一層おいしそうな印象を与えることができる。【選択図】図１
0003146366.tif 000002
【実用新案登録請求の範囲】
【請求項１】
把持部と突き刺し部からなる食事用ピックであって、前記把持部は口を開けた動物を模した形状からなり、前記突き刺し部は前記開けた口から突設されていることを特徴とする食事用ピック。
【請求項２】
動物が、鰐、河馬、熊、駱駝、犬、ペンギン、又は、ペリカンであることを特徴とする請求項１記載の食事用ピック。
【請求項３】
開けた口に歯を模した突起が設けられていることを特徴とする請求項１又は２記載の食事用ピック。
【請求項４】
動物の脚の部分が突き刺し部の軸方向に対し略垂直方向に突設されていることを特徴とする請求項１〜３のいずれか１項に記載の食事用ピック。
【請求項５】
動物が瘤、鱗、羽根、毛などの凹凸を有する動物であり、この凹凸が突き刺し部の軸方向に対し略垂直方向に突設または凹設されていることを特徴とする請求項１〜４のいずれか１項に記載の食事用ピック。
【考案の詳細な説明】
【技術分野】
【０００１】
本考案は、おかず、果物等の食物に突き刺して食べるための食事用ピックに関し、更に詳しくは、これらの食物に興趣性や装飾性を付与して、食欲を喚起したり増進することができる食事用ピックに関する。
【背景技術】
【０００２】
従来から、食卓を楽しく、美味しく見せるために、盛り付けや食器を工夫したり、花やさまざまな飾りを食物の周りに配置したりすることは一般に行われ、これらにより、視覚的に食欲を惹き起こしたり、増進したりすることが行なわれている。
【０００３】
特に、女性や年少者の中には食の細い者や好き嫌いの激しい者も多く、心身の健全な発達に支障を来たす場合がある。また、近時、たとえ家族でも食事の時間がバラバラになり、独りで黙々と食事を取ることも多く、食欲の減退を招き、また、栄養の偏りなども心配される。
【０００４】
このような情況下において、近時、メッセージ表示部を設けたピックが提案されている（特許文献１参照）。
このピックは、食する者に対してメッセージにより料理を作った者のあたたかい心情や愛情を伝え、一方、食する者にとっては、これに応えんとして、嫌いな食物でも頑張って食べようとする意欲が喚起され、また、食しているうちに次第に好物に変化してゆく効果も認められる。
【０００５】
しかしながら、このピックはメッセージを読解することによって初めてその目的を達成するため、例えば、メッセージを読解できない就学前の年少者にとっては所期の目的を達成することはできないという問題を含んでいる。
【特許文献１】実用新案登録第３１１４４７１号公報
【考案の開示】
【考案が解決しようとする課題】
【０００６】
本考案はかかる実情に鑑み、興趣性や装飾性によって、食の細い又は好き嫌いの激しい子供や女性でも食欲を喚起・増進させることができる食事用ピックを提供することを目的とするものである。
【課題を解決するための手段】
【０００７】
上記目的を達成するための本考案の請求項１は、把持部と突き刺し部からなる食事用ピックであって、前記把持部は口を開けた動物を模した形状からなり、前記突き刺し部は前記開けた口から突設されていることを特徴とする食事用ピックを内容とする。
【０００８】
本考案の請求項２は、動物が、鰐、河馬、熊、駱駝、犬、ペンギン、又は、ペリカンであることを特徴とする請求項１記載の食事用ピックを内容とする。
【０００９】
本考案の請求項３は、開けた口に歯を模した突起が設けられていることを特徴とする請求項１又は２記載の食事用ピックを内容とする。
【００１０】
本考案の請求項４は、動物の脚の部分が突き刺し部の軸方向に対し略垂直方向に突設されていることを特徴とする請求項１〜３のいずれか１項に記載の食事用ピックを内容とする。
【００１１】
本考案の請求項５は、動物が瘤、鱗、羽根、毛などの凹凸を有する動物であり、この凹凸が突き刺し部の軸方向に対し略垂直方向に突設または凹設されていることを特徴とする請求項１〜４のいずれか１項に記載の食事用ピックを内容とする。
【考案の効果】
【００１２】
本考案の食事用ピックは、把持部は口を開けた動物の形状を模してなり、突き刺し部は動物形状の口の部分から突設されていることのより、食物を突き刺し部に突き刺すと、恰も動物が食物に噛みついているような形となり、その愛らしさや面白さにより、更には、恰も動物たちと一緒に食事をしているような感覚で食事ができるため、食欲を喚起・増進させることができる。
また、動物として鰐、河馬、熊、駱駝、犬のように、口を大きく開ける動物を採用すれば、動物が食物にぱくついているように見え、一層食欲が喚起・増進される。
【００１３】
また、動物形状の口の部分に歯を模した突起を設けると、動物が食物に噛りついているよう印象を与え、食欲が喚起・増進される。また、食物に歯が刺さって動物の口の部分と食物が離れにくくなり、動物の口から食物が離れて食事をしているように見えなくなるといった不都合が防止できる。
【００１４】
また、動物の脚の部分を突き刺し部の軸方向に対して略垂直方向に突設したり、また、動物の瘤や鱗、羽根、毛等の凹凸を突き刺し部の軸方向に対し略垂直方向に突設又は凹設することによりこれらが滑り止めの役割を果し、ピックを容易に食物に突き刺すことができる。
【考案を実施するための最良の形態】
【００１５】
本考案の食事用ピックは、把持部と突き刺し部からなる食事用ピックであって、前記把持部は口を開けた動物を模した形状からなり、前記突き刺し部は前記開けた口から突設されていることを特徴とする。
【００１６】
本考案の食事用ピックの素材は、プラスチック、金属、木、竹、等安全な素材であれば特に制限されないが、造形性（成形性）、着色性、コスト等の面からプラスチックが好ましい。
【００１７】
本考案に用いられるプラスチックとしては特に制限されないが、ポリエチレン、ポリプロピレン等のポリオレフィン樹脂、ポリスチロール樹脂、塩化ビニル樹脂、ポリアミド樹脂、ポリエステル樹脂、ＡＢＳ樹脂、ＡＳ樹脂等が挙げられる。
【００１８】
把持部は、ピックの突き刺し部を食物に突き刺す際又は抜き出す際に指で摘むためのもので、余り小さいと摘み難くなるので、通常、概ね親指と人差し指との間に収まる程度の大きさが好ましい。
【００１９】
突き刺し部は文字通り、ピックを食物に差し込む（突き刺す）ためのもので、従って、適度な剛性を有し、長さは余り大きいと、弁当箱や折り箱内等に収納し難くなるので概ね２０〜３０ｍｍ程度のものが好ましい。尚、差込部の先端部は余り尖らせると危険なので、食物を突き刺せる程度とするのが良い。また、不用意に食物が抜け出さないように、ピックの先端に矢尻のような抜け止め防止手段を設けることもできる。
【００２０】
本考案において、把持部を形成する動物としては特に制限されず、犬、猫、兎、馬、牛、象、虎、河馬、鰐、熊、駱駝、ライオン、キリン、ペンギン、ペリカン、ヒヨコ等が挙げられるが、特に、口を大きく開ける鰐、河馬、熊、駱駝、犬等が好ましい。このような口を大きく開ける動物を採用すると、動物がいかにもおいしそうに食物にぱくついているように見え、食欲が喚起・増進される。また、愛らしさの点では、ペンギン、ペリカン、ヒヨコ等が好ましい。
【００２１】
また、大きく開けた口に歯を模した突起を設けることにより、動物が食物に噛りついているように見え、食欲が一層喚起・増進される。更に、食物に歯が刺さることにより、動物の口と食物とが離れにくくなるため、動物の口と食物との間に隙間ができ、動物が食物を食べているように見えなくなるという不都合が防止される。
【００２２】
更に、動物の脚の部分を突き刺し部の軸方向に対して略垂直方向に突設したり、背の瘤や鱗、羽根、毛等の凹凸を有する動物を採用し、これらの凹凸を突き刺し部の軸方向に対し略垂直方向に突設又は凹設することにより、これらが把持した際に滑り止めの役割を果し、手やピックに水や油等が付着していても、容易に食物に突き刺すことができる。
【００２３】
突き刺し部は、動物の開けた口から突設されるが、口の上部と下部との略中間から突設させると、開けた口が安定的に食物に接するとともに、恰も動物の舌が伸びたようにも見え、面白味が増加する。
【００２４】
本考案の食事用ピックは所望の色に着色されるが、一色に着色してもよく、また、多色に着色してもよい。
【実施例】
【００２５】
以下、本考案を実施例に基づいて更に詳細に説明するが、本考案はこれらにより何ら制約されるものではない。
【００２６】
実施例１
本実施例の食事用ピック１は、図１に示すように、把持部２が口を開けた鰐を模した形状からなり、その口の上部と下部との略中間から突き刺し部３が突設されている。
本例では鼻の穴、目が凹設され、鱗は背中の上部は突き刺し部２の軸方向に対し略垂直方向に凹凸状に形成され、両サイドは凹設されている。また、脚は突き刺し部２の軸方向に対し略垂直方向に突設されている。
図２に、本例の食事用ピック１を食物４に突き刺した状態を示したが、本例の食事用ピック１は、把持部２の上下方向又は両サイドのいずれを指で摘んでも凹凸が滑り止めの役割を果すので、たとえ手や把持部２に水や油が付着していても滑ることなく、容易に食物４に突き刺すことができる。
【００２７】
実施例２
本実施例の食事用ピック１は、図３に示すように、把持部２が口を開けた犬からなる他は実施例１の場合と同様である。
【００２８】
実施例３
本実施例の食事用ピック１は、図４に示すように、把持部２が口を開けた熊からなる他は実施例１の場合と同様である。
【００２９】
実施例４
本実施例の食事用ピック１は、図５に示すように、把持部２が口を開けたペンギンからなる他は実施例１の場合と同様である。尚、羽根は突設されている。
【００３０】
実施例５
本実施例の食事用ピックは、図６に示すように、鰐の口の上部及び下部に歯を模した突起５を設けた他は実施例１の場合と同様である。
図７に、本例の食事用ピック１を食物４に突き刺した状態を示したが、鰐が恰も食物４に噛りついたように見え、一層おいしそうな印象を与え、食欲が一層喚起・増進される。
【００３１】
実施例６
本実施例の食事用ピック１は、図８に示すように、犬の口の上部に歯を模した突起５を設けた他は実施例２の場合と同様である。
【００３２】
実施例７
本実施例の食事用ピック１は、図９に示すように、熊の口の上部及び下部に歯を模した突起５を設けた他は実施例３の場合と同様である。
【産業上の利用可能性】
【００３３】
叙上のとおり、本考案の食事用ピックは、食物に突き刺すと、把持部の動物が食物にぱくついた愛らしい形となり、また、恰も愛らしい動物たちと一緒に食事をしているような感覚で食事をすることが可能となり、食欲が喚起・増進される。
この結果、例えば、食が細かったり、好き嫌いの激しい年少者や、独りで食事をする者も思わず気持ちが和み、食欲が喚起・増進され、偏食や栄養不足等が改善される。
【図面の簡単な説明】
【００３４】
【図１】本考案の実施例を示す概略図である。
【図２】図１の食事用ピックを食物に突き刺した状態を示す概略図である。
【図３】本考案の他の実施例を示す概略図である。
【図４】本考案の他の実施例を示す概略図である。
【図５】本考案の他の実施例を示す概略図である。
【図６】本考案の他の実施例を示す概略図である。
【図７】図６の食事用ピックを食物に突き刺した状態を示す概略図である。
【図８】本考案の更に他の実施例を示す概略図である。
【図９】本考案の更に他の実施例を示す概略図である。
【符号の説明】
【００３５】
１  食事用ピック
２  把持部
３  突き刺し部
４  食物
５  突起
【図１】
0003146366.tif 000003
【図２】
0003146366.tif 000004
【図３】
0003146366.tif 000005
【図４】
0003146366.tif 000006
【図５】
0003146366.tif 000007
【図６】
0003146366.tif 000008
【図７】
0003146366.tif 000009
【図８】
0003146366.tif 000010
【図９】
0003146366.tif 000011